(57)【要約】【課題】就寝時に、人体を指圧するように万遍なく刺激し、血行を良くして体の調子を良くする指圧効果用用具を提供しようとする。【解決手段】この指圧効果用用具は、枕として用いるものであって、基板と、該基板上に長手方向を使用時の人の丈方向と直角方向にして列設された複数の長尺部材と、隣設の前記長尺部材の隙間に差し込まれる挿入板を有し、長手方向を前記長尺部材の長手方向と平行にして前記長尺部材に載置され支承される着脱長尺部材と、を備える。【選択図】図２４
2008119493.tif 000002
【特許請求の範囲】
【請求項１】
枕として用いるものであって、
基板と、
該基板上に長手方向を使用時の人の丈方向と直角方向にして列設された複数の長尺部材と、
隣設の前記長尺部材の隙間に差し込まれる挿入板を有し、長手方向を前記長尺部材の長手方向と平行にして前記長尺部材に載置され支承される着脱長尺部材と、
を備えることを特徴とする指圧効果用用具。
【請求項２】
請求項１に記載の指圧効果用用具において、
前記着脱長尺部材の下面に緩衝の役目をはたす弾性板が貼着されていることを特徴とする指圧効果用用具。
【請求項３】
請求項１又は２に記載の指圧効果用用具において、
発泡樹脂から成る上層と薄板の下層を有する１個又は複数個の長尺角型材を前記着脱長尺部材の上面に備えることを特徴とする指圧効果用用具。
【発明の詳細な説明】
【技術分野】
【０００１】
本発明は人体を指圧するように刺激し、血行を良くして体の調子を良くする、指圧効果用用具に関する。
【背景技術】
【０００２】
従来より、人体を指圧するように刺激して血行を良くすることを目的とした用具は、青竹踏みや、電動マッサージ用椅子など数多くある。しかし、人体は複雑で、刺激すべき部位が最適であるか定まらず、又、いたずらに同一個所を反復刺激しても必ずしも良い効果が得られなかった。又、意識的に指圧効果を与えるべき部位を刺激する操作をその操作にかかりきりに専任して長時間行うことは、多忙でその操作の時間が取れない場合が多く、実行が難しかった。
【０００３】
又、人体を指圧するように刺激して血行を良くすることを目的とした用具としては特殊形状の枕が種々開示されている。例えば、首筋のはりの解消を目的に一対の棒状の袋を平行に並べそれぞれにそば殻を入れた二山まくら（例えば、特許文献１参照。）や、複数本の筒状硬質棒を紐を介して連結させたもの（例えば、特許文献２参照。）や、使用するひとの丈方向と直交する方向に沿って凹状に湾曲する半筒状のもの（例えば、特許文献３参照。）が開示されている。しかし、これらはいずれも指圧すべきポイントを確実に捉える点で不十分であり、指圧効果は不満足である。
【特許文献１】特開平  ９−３２７３５９号公報（特許請求の範囲）
【特許文献２】特開平１０−０９９１７６号公報（特許請求の範囲）
【特許文献３】特開平１０−２１５９９２号公報（特許請求の範囲）
【発明の開示】
【発明が解決しようとする課題】
【０００４】
本発明は、これらの問題点に鑑み、就寝時に、無意識に万遍なく人体を指圧するように刺激し、血行を良くして体の調子を良くする指圧効果用用具を提供しようとする。
【課題を解決するための手段】
【０００５】
請求項１に記載の指圧効果用用具は、枕として用いるものであって、基板と、該基板上に長手方向を使用時の人の丈方向と直角方向にして列設された複数の長尺部材と、隣設の前記長尺部材の隙間に差し込まれる挿入板を有し、長手方向を前記長尺部材の長手方向と平行にして前記長尺部材に載置され支承される着脱長尺部材と、を備えることを特徴とする。
【０００６】
請求項２に記載の指圧効果用用具は、請求項１に記載の指圧効果用用具において、前記着脱長尺部材の下面に緩衝の役目をはたす弾性板が貼着されていることを特徴とする。
【０００７】
請求項３に記載の指圧効果用用具は、請求項１又は２に記載の指圧効果用用具において、発泡樹脂から成る上層と薄板の下層を有する１個又は複数個の長尺角型材を前記着脱長尺部材の上面に備えることを特徴とする。
【発明の効果】
【０００８】
本発明の指圧効果用用具は、就寝時に、体の丈方向にそって万遍なく無意識に指圧効果を与えるべき部位を線状に刺激し、血行を良くして体の調子を良くする。
【０００９】
本発明の枕として使用する指圧効果用用具は、後頭部もしくは首部を、丈方向と直角方向に複数の間隔をおいた線状に圧迫し、通常の枕に比較して効果的なマッサージ効果をもたらす。
【００１０】
本発明の枕として使用する指圧効果用用具は、後頭部もしくは首部を圧迫する板状部材の間に間隙を有し、その間隙を空気の流れが通過して、通常の枕に比較して後頭部もしくは首部を冷却する機能を兼ね備える。
【００１１】
本発明の枕として使用する指圧効果用用具は、通常の枕に比較して人体の首から上の血行をよくすることに寄与する。これにより、通常の枕に比較して就寝時にいわゆる口呼吸する状態を改善して正常な呼吸状態を実現することに寄与する。又、通常の枕に比較して偏頭痛の傾向にある人が使用すると、偏頭痛の緩和に寄与する。
【００１２】
本発明の枕として使用する指圧効果用用具は、通常の枕に比較して人体の首から上の血行をよくすることに寄与する。通常の枕に比較して虫歯の痛みがこの血行の促進により緩和され、知覚過敏の状態が緩和される。
【００１３】
本発明の枕として使用する指圧効果用用具は、人体の首から上の血行をよくすることに寄与し、通常の枕に比較してこの部分の新陳代謝の促進に寄与する。
【発明を実施するための最良の形態】
【００１４】
本発明に係る態様を図面に基づいて詳しく説明する。なお、本明細書においては、各図にわたって記される同じ符号は同一又は同様の部材やものを示す。図１の本発明の指圧効果用用具２は枕として構成され、互いに平行な複数の畝状突起４を上面部１６に有する枕基体６から成る。枕基体６は、基板８と、基板８の面１０の上に互いに平行に立設する複数の長尺部材１２から成り、長尺部材１２の上縁部１４が畝状突起４を構成している。
【００１５】
指圧効果用用具２は、枕として図２に示すような態様で、長尺部材１２の長手方向が寝る人の丈方向と直角な方向に向くようにして使用される。即ち、畝状突起４の長手方向が寝る人の丈方向と直角な方向に向くようにして使用される。これにより、畝状突起４が人の丈方向と直角な方向に直線状に人の頭部から首にかけてクッション材９を介して当接するようになっている。基板８と長尺部材１２は、木、樹脂等の剛な部材を主体に構成される。特に、人の頭頂側からみて最後列の長尺部材１２ｒが効率的に首部又はその近傍に当接し首部又はその近傍を有効に刺激する。長尺部材１２は、個々に高さＨが異なり、複数の畝状突起４の頂上部がなだらかに谷形に連なるように配置されている。これにより、畝状突起４が人の頭部から首にかけてほぼ均等に当接するようになっている。基板８に立設する長尺部材１２は、上面が、長手方向中央部から端部にかけてなだらかに傾斜して、凸もしくは凹状となっていてもよい。
【００１６】
このようにして使用することにより、就寝時に、人の頭部を頭頂から首部にかけて均等に刺激し、かつ、就寝時に、人の頭部の後頭筋や、首部の半棘筋、板状筋、僧帽筋等を適度に線状に刺激し、血行を良くして体の調子を良くする。又、隣接の畝状突起４の間には、就寝時に頭や首部に当接しない部位ができ、この部分では血液の流れが妨げられない。
【００１７】
クッション材９は、厚さ０．５〜５ｃｍほどの矩形のタオル状もしくは座布団状のものであることが、適度のクッション性をもたらし好ましい。クッション材９は、弾性を有するスポンジシートから作られてもよい。フェルトから作られてもよい。タオル等の布地を１枚もしくは複数枚かさねて用いてもよい。側地に中入れ綿やスポンジ等の詰め物を詰めた薄い布団状のマット状物であってもよい。その他衝撃を和らげるシートから成るものであれば素材は問わない。クッション材９は、ゴムやウレタンゴムや、その他の合成ゴムから成るスポンジのシートを側地で包んだものであってもよい。クッション材９は、厚さ０．５〜１ｃｍであることが首部への適度な刺激にとって更に好ましい。
【００１８】
図３（ａ）に、図１における枕基体６のＡ−Ａ´方向（人の丈方向）の断面図を示す。基板８に立設する長尺部材１２は、この断面でみて上縁の角部２２が半円形に面取りされている。
【００１９】
図３（ａ）において、畝状突起４の幅、即ち、長尺部材１２の幅Ｗは、２０〜３５ｍｍが好ましい。２３〜３０ｍｍであることが、刺激が適度であり、更に好ましい。枕の高さ、即ち、基板８の下底から、最も頭頂側（図面視左側）の長尺部材１２（長尺部材１２ｑ）及び最も首部側（図面視右側）の長尺部材１２（長尺部材１２ｒ）の頂上までの高さＨＨは、４５〜８０ｍｍであることが好ましい。５０〜７０ｍｍであることが、最適の寝心地が得られ更に好ましい。長尺部材１２の間隔Ｐは、１５〜２５ｍｍであることが良好な寝心地が得られ好ましい。隣接の各長尺部材１２の間に空隙１７があることにより、空隙１７を空気が通過するので、本発明の指圧効果用用具２は、就寝時に頭部を冷却し、所謂頭寒足熱の効果がある。
【００２０】
長尺部材１２ｑに隣接の長尺部材１２ｔは、長尺部材１２ｑより４〜６ｍｍ低いことが、寝たときに頭部が安定し好ましい。長尺部材１２ｔを除く中間に位置する長尺部材１２ｓは、長尺部材１２ｔより更に１０〜１５ｍｍ低いことが、寝たときに頭部が安定し、かつ、首部への刺激が心地よくなされ好ましい。
【００２１】
又、図３（ｂ）に示すように、枕基体６ｂが図３（ａ）に示す長尺部材１２ｑ及び長尺部材１２ｔのかわりに，上縁に段差１５を有する板状部材１１ｃを含んで構成されていてもよい。
【００２２】
又、図４（ａ）の断面模式図に示す枕基体６ａ（指圧効果用用具２ａ）のように、長尺部材１２の上縁部１４即ち畝状突起４の上面にクッション材９のかわりに、もしくはクッション材９と併用で長尺の弾性部材９ａを貼り付けてもよい。
【００２３】
クッション材９、弾性部材９ａ等は、畝状突起４と人体の間に介在して、人体への畝状突起４の当接圧力を分散させて、当たりを和らげる。弾性部材９ａは、合成樹脂の発泡体から成ることが好ましい。特に、低発泡率の発泡体から成ることが好ましい。例えばポリウレタン系、ポリオレフィン系、ポリエステル系、ポリエーテル系、合成ゴム系、ＥＶＡ系等の樹脂の発泡体から成ることが好ましく、その圧縮硬さ（ＪＩＳ  Ｋ６７６７に準ずる）は０．２〜３．５Kｇｆ／ｃｍ２、見かけ密度（ＪＩＳ  Ｋ６７６７に準ずる）は０．０２５〜０．１０（ｇ／ｃｍ３）であることが適度な刺激効果を得るうえで好ましい。弾性部材９ａの高さは、長尺部材１２の弾性部材９ａを含めたトータルの高さの１／３〜２／３であることが好ましい。
【００２４】
更に、図４（ｂ）の断面模式図に示す指圧効果用用具２ａａのように、弾性部材９ａを上部に備える４個の長尺部材１２ｘｘ、１２ｙｙ、１２ｚｚ、１２ｐｐが基板８上に配置されてもよい。首側に弾性部材９ａを含めたトータルの高さの異なる長尺部材１２ｘｘと長尺部材１２ｙｙが配置されて、外側の長尺部材１２ｙｙが内側の長尺部材１２ｘｘより弾性部材９ａを含めたトータルの高さが高く、かつ、両者が横方向にほぼ密着している構成が挙げられる。又、指圧効果用用具２ａａにおいては、頭頂側の長尺部材１２ｐｐがその内側の長尺部材１２ｚｚより弾性部材９ａを含めたトータルの高さが高くなっている。
【００２５】
又、図４（ｃ）の断面模式図に示す指圧効果用用具２ａｂのように、弾性部材９ａを上部に備える５個の長尺部材１２ｘ、１２ｙ、１２ｚ、１２ｚ、１２ｒｒが基板８上に配置されて、首側に弾性部材９ａを含めたトータルの高さの異なる長尺部材１２ｘと長尺部材１２ｙが配置され、外側の長尺部材１２ｙが内側の長尺部材１２ｘより弾性部材９ａを含めたトータルの高さが高く、かつ、両者が横方向にほぼ密着している構成が挙げられる。又、指圧効果用用具２ａｂにおいては、頭頂側の長尺部材１２ｒｒがその内側の長尺部材１２ｚより弾性部材９ａを含めたトータルの高さが高くなっている。
【００２６】
図４（ｂ）、図４（ｃ）の態様は、図４（ａ）の態様より更に寝た状態での耳の下の首部を刺激する効果に優れ、鼻詰まりの症状の緩和に有効である。
【００２７】
又、枕基体６は、図５の断面図に示すように、基板８の下に着脱自在のかさ上げ板２６を備えていてもよい。厚さＴの異なるかさ上げ板２６を、使用する人に応じて替えることにより、その人に合った最適の寝心地が得られる。
【００２８】
本発明の更に他の望ましい態様として、図４に示す指圧効果用用具２ａの弾性部材９ａの上面に帯状の第二の弾性部材１１ａが重畳された図６の指圧効果用用具２ｂが挙げられる。このような態様により、頭部及び首部への刺激がマイルドなものとなり、刺激効果とともに快適な安眠効果が得られる。
【００２９】
又、本発明の又更に別の望ましい態様として図７の断面模式図に示す指圧効果用用具２ａｄが挙げられる。指圧効果用用具２ａｄにおいては、弾性部材９ａを上部に備える５個の長尺部材１２ｋｘ、１２ｋｙ、１２ｋｚ、１２ｋｐ、１２ｋｑが基板８上に配置されて枕基体６ｋを構成する。頭頂側の外側の長尺部材１２ｋｙはその内側の隣接の長尺部材１２ｋｘより弾性部材９ａを含めたトータルの高さが高く、かつ、両者が横方向にほぼ密着している。首側の最も外側の長尺部材１２ｋｐがその内側の隣接の長尺部材１２ｋｚより弾性部材９ａを含めたトータルの高さが高くなっている。更に、それぞれの弾性部材９ａの上面がそれぞれ帯状の第二の弾性部材１１ａで覆われ、枕の上面部即ち枕基体６ｋの上面部は、寝る人の丈方向と平行な断面でみて略谷形の形状をなしている。
【００３０】
又、長尺部材１２ｋｐの隣で内側の長尺部材１２ｋｚと、更にその内側の長尺部材１２ｋｑとの間に、着脱自在な着脱長尺部材１３ｋｋが配置される。着脱長尺部材１３ｋｋは、装着された状態で、長尺部材１２ｋｐの弾性部材９ａ及び第二の弾性部材１１ａを含めたトータルの高さより高さが高い。又、長尺部材１２ｋｙの弾性部材９ａ及び第二の弾性部材１１ａを含めたトータルの高さより高さが高い。着脱長尺部材１３ｋｋは、上面に第二の弾性部材１１ａを備えている。着脱長尺部材１３ｋｋが装着された状態の指圧効果用用具２ａｄは、上面が寝る人の丈方向と平行な断面でみて略山形の形状をなしている。
【００３１】
着脱長尺部材１３ｋｋは、長尺部材１２ｋｚと長尺部材１２ｋｑとの間の間隙に、長尺部材１２ｋｚと長尺部材１２ｋｑとに挟まれて配置される。着脱長尺部材１３ｋｋは、長尺のベース１３０とベース１３０の上方に、自身の長手方向をベース１３０の長手方向と同じくして設けられる長尺の首当て部１３４を含んで構成される。ベース１３０と、首当て部１３４とは、長尺の連結部１３６を介して一体に成形されている。ベース１３０は（長手方向及び高さ方向と直交する）幅が長尺部材１２ｋｚと長尺部材１２ｋｑとの間の間隙にほぼ等しく、長尺部材１２ｋｚと長尺部材１２ｋｑとに挟まれて嵌合され配置される。連結部１３６は薄板状であり、長手方向をベース１３０の長手方向と同じくしてベース１３０の長手方向にわたってベース１３０の上面からその面を自身の面を垂直にして立設される。着脱長尺部材１３ｋｋが装着された状態で、連結部１３６は、長尺部材１２ｋｚ、長尺部材１２ｋｑのそれぞれの最上部に配された第二の弾性部材１１ａのあいだに挿入され、この第二の弾性部材１１ａにより挟まれる。首当て部１３４の（長手方向及び高さ方向と直交する）幅は、長尺部材１２ｋｚや長尺部材１２ｋｑの幅に等しいかやや大きい。
【００３２】
図８に示すように、指圧効果用用具２ａｄから着脱長尺部材１３ｋｋを矢印の方向に横にスライドして引き抜ぬいたり、指圧効果用用具２ａｄへ着脱長尺部材１３ｋｋを装着出来る。
【００３３】
着脱長尺部材１３ｋｋが装着された指圧効果用用具２ａｄは、着脱長尺部材１３ｋｋの上面が首の裏側の部分にあたるようにしてテレビ鑑賞、読書等をしてくつろぎながら、あるいは首を動かしてコリを取る動作をしながら使用することにより、首部に効果的な刺激を与えることが出来る。着脱長尺部材１３ｋｋが装着されない状態の指圧効果用用具２ａｄは、通常の枕として使用される。このように、一つの枕を目的により使い分け出来る。
【００３４】
本発明の他の態様として、図９の断面模式図に示す指圧効果用用具２ｐｄが挙げられる。指圧効果用用具２ｐｄにおいては、長尺部材１２ｐｘ、１２ｐｙ、１２ｐｚ、１２ｐａ、１２ｐｂが基板８ｐにこの順で間隔をおいて互いに平行に配置されて枕基体６ｐｋを構成する。各長尺部材の長手方向は寝る人の丈方向と直交する。
【００３５】
長尺部材１２ｐｘ、１２ｐｙ、１２ｐｚ、１２ｐａ、１２ｐｂはそれぞれ長尺角材１２ｑｘ、１２ｑｙ、１２ｑｚ、１２ｑａ、１２ｑｂを含んでなり、それぞれの上部に弾性部材９ｐＬ、９ｐＲ、９ｐｄ、９ｐａ、９ｐｂを備える。長尺角材１２ｑｙ、１２ｑｚは互いに隙間なく密着していてもよい。長尺部材１２ｐｘは首側部材１３ｐｐを構成する。
【００３６】
長尺部材１２ｐｂと長尺部材１２ｐａとの間の隙間５０ｐｐに着脱自在な着脱長尺部材１３ｐｋが配置される。長尺部材１２ｐｙは枕基体６ｐｋの図面視右端に位置する。この位置が着脱長尺部材１３ｐｋが装着された状態で人が就寝したときの頭頂側となる使用態様が好ましい。このとき、長尺部材１２ｐｘは枕基体６ｐｋの図面視左端に位置し、この位置が着脱長尺部材１３ｐｋが装着された状態で人が就寝したときの首側となる。
【００３７】
着脱長尺部材１３ｐｋは、隙間５０ｐｐに挿入される挿入部６２ｐｐと、挿入部６２ｐｐの上方に位置する刺激体部６４ｐｐとから構成される。刺激体部６４ｐｐの基体部７０ｐｐと、挿入部６２ｐｐとは一体に形成されていてもよい。刺激体部６４ｐｐの上面、即ち、着脱長尺部材１３ｐｋの上面は、寝る人の丈方向に湾曲する上に凸の曲面となっている。基体部７０ｐｐも寝る人の丈方向に湾曲する上に凸の曲面となっている。又、挿入部６２ｐｐの下端面に長尺のクッションシート６３ｐｐが貼着固定されていてもよい。着脱長尺部材１３ｐｋは、図８に示す着脱長尺部材１３ｋｋと同様の態様で着脱される。刺激体部６４ｐｐは、基体部７０ｐｐと基体部７０ｐｐの上面に貼着された弾性部材９ｐｃから成る。
【００３８】
着脱長尺部材１３ｐｋが装着された状態で、挿入部６２ｐｐと長尺角材１２ｑａとの間及び／又は挿入部６２ｐｐと長尺角材１２ｑｂとの間には間隙１５ｋｋがあることが好ましい。これにより、装着された着脱長尺部材１３ｐｋが図面視左右に揺動可能となり、就寝時の頭の動きによる刺激が緩和されて好ましい。
【００３９】
弾性部材９ｐＬの最上面と、弾性部材９ｐＲの最上面とは略面一の高さとなる。着脱長尺部材１３ｐｋは、枕基体６ｐｋに装着された状態で、最上面５７ｐが、弾性部材９ｐＬの最上面や弾性部材９ｐＲの最上面の高さより高い。
【００４０】
弾性部材９ｐＬ、９ｐＲ、９ｐｄ、９ｐａ、９ｐｂ、９ｐｃは、それぞれが枕基体６ｐｋの高さ方向に積層された複数の弾性を有する部材（弾性層）で構成されている。弾性部材９ｐＬ、９ｐＲ、９ｐｄ、９ｐａ、９ｐｂ、９ｐｃは、それぞれが一体に成形されていてもよい。
【００４１】
弾性部材９ｐＬは第１弾性部材５０１、第２弾性部材５０２、第３弾性部材５０３が上からこの順に積層されて成る。弾性部材９ｐＲは第１弾性部材５１１、第２弾性部材５１２、第３弾性部材５１３が上からこの順に積層されて成る。弾性部材９ｐｄは第１弾性部材５２１、第２弾性部材５２２が上からこの順に積層されて成る。弾性部材９ｐａは第１弾性部材５３１、第２弾性部材５３２が上からこの順に積層されて成る。弾性部材９ｐｂは第１弾性部材５４１、第２弾性部材５４２が上からこの順に積層されて成る。弾性部材９ｐｃは第１弾性部材５５１、第２弾性部材５５２、第３弾性部材５５３が上からこの順に積層されて成る。これらの積層される各弾性部材の厚さは約７ｍｍであることが好ましい。
【００４２】
弾性部材は各層がそれぞれ異なる圧縮硬さを有することが好ましい。上方ほど低い圧縮硬さを有することが更に好ましい。長尺角材１２ｑｘ、１２ｑｙ、１２ｑｚ、１２ｑａ、１２ｑｂ、基体部７０ｐｐ、挿入部６２ｐｐ、基板８ｐは金属、樹脂又は木材から成ることが好ましい。木材はヒノキを含むことが芳香を放ち、睡眠時の精神安定効果があり好ましい。長尺角材１２ｑｘ、１２ｑｙ、１２ｑｚ、１２ｑａ、１２ｑｂは、硬質の樹脂発泡体から成るものであっても適度な弾性があり好ましい。
【００４３】
弾性部材９ｐＲの上面は、弾性部材９ｐｄの上面より高い位置にある。弾性部材９ｐｄの上面は、弾性部材９ｐａの上面より高い位置にある。弾性部材９ｐａの上面は、弾性部材９ｐｂの上面より高い位置にある。この構成により、枕基体６ｐｋの上面部を連ねると、寝る人の丈方向にみて略谷形の形状をなしている。
【００４４】
本発明の指圧効果用用具２ｐｄにおいては、着脱長尺部材１３ｐｋが装着されない状態で、長尺部材１２ｐｙが人が就寝したときの首側に位置し、長尺部材１２ｐｘが頭頂側に位置することが好ましい。即ち、指圧効果用用具２ｐｄは、着脱長尺部材１３ｐｋが装着されたときと装着されないときとで方向を逆にして使用されることが好ましい。
【００４５】
指圧効果用用具２ｐｄは枕として用いられる。図１０に指圧効果用用具２ｐｄを着脱長尺部材１３ｐｋが装着された状態で使用する態様を示す。着脱長尺部材１３ｐｋが人の頭部の、頭頂部と首とのあいだの凹部にあてがわれてその部分が適度に刺激されて好ましい。
【００４６】
指圧効果用用具２ｐｄの各所の寸法あるいは相対値は次に記述の値であることが就寝時の頭部及び首部への適度な刺激にとって好ましい。又（  ）内の値であることが更に好ましい。
指圧効果用用具２ｐｄの寝る人の丈方向の幅ＰＴ；１７〜２１（１８〜２０）ｃｍ
着脱長尺部材１３ｐｋの最上面５７ｐの位置と枕基体６ｐｋの図面視左端との間隔ＰＬと、最上面５７ｐの位置と枕基体６ｐｋの図面視右端との間隔ＰＲとの比率；５：５〜２：８（４：５〜２．５：７．５）
長尺角材１２ｑｘの高さＰＭＲ；３．５〜５．５ｃｍ（４．０〜５．０ｃｍ）
弾性部材９ｐＬの厚さ；１〜６ｃｍ（２〜４ｃｍ）
長尺角材１２ｑｙの寝る人の丈方向の幅ＰＷＬ；２．５〜５ｃｍ（３〜４ｃｍ）
基体部７０ｐｐの寝る人の丈方向の幅ＰＷＷ；４〜７ｃｍ（４．５〜５．５ｃｍ）
長尺部材１２ｐｘの高さＰＨＴ；４．５〜９．５ｃｍ（５〜９ｃｍ）
長尺部材１２ｐｙの高さＰＨＬ；５〜１０ｃｍ（６〜１０ｃｍ）
着脱長尺部材１３ｐｋの装着された状態の高さＰＴＴ；７〜１２ｃｍ（８〜１２ｃｍ）
【００４７】
着脱長尺部材１３ｐｋは、図１１に示すように、高さ調整スペーサ６５ｐｐを着脱長尺部材１３ｐｋと基板８ｐとの間に挿入してセットすることにより着脱長尺部材１３ｐｋの装着された状態の高さＰＴＴを変えることが出来る。高さ調整スペーサ６５ｐｐの形状を図１２（ａ）に示す。高さ調整スペーサ６５ｐｐは四角柱状の部材から成る。高さ調整スペーサ６５ｐｐは弾性を有する部材から成ることが好ましい。あるいは、図１２（ｂ）に示すように、一対の四角柱状の弾性体（弾性層）６７ｐｐ、６７ｐｐを板部材（板骨層）６９ｐｐでサンドイッチ状に挟んだ形態のものが、曲げにくく取り扱い容易でかつ圧縮弾性に富み、又、クッション性がながもちして好ましい。
【００４８】
着脱長尺部材１３ｐｋが装着された指圧効果用用具２ｐｄは、着脱長尺部材１３ｐｋの上面が首の裏側の部分にあたるようにしてテレビ鑑賞、読書等をしてくつろぎながら、あるいは首を動かしてコリを取る動作をしながら使用することにより、首部に効果的な刺激を与えることが出来る。又、着脱長尺部材１３ｐｋが装着された指圧効果用用具２ｐｄは、通常の枕として使用される。種類の異なった（例えば高さ、幅、クッション性の異なった）着脱長尺部材１３ｐｋを各種用意しておき、そのなかから目的や気分に応じて、選択し装着して用いることが出来る。
【００４９】
又、図１３に示す指圧効果用用具２ｐｄｎのように、着脱長尺部材１３ｐｋには最上面に厚さ７ｍｍほどの上面弾性部材５４４が貼着されていることがさらに好ましい。上面弾性部材５４４は着脱長尺部材１３ｐｋの凸形上表面の人が寝る方向にみたほぼ中央の部分から図面視左にかけて貼着される。これによりその中央の部分に、上面弾性部材５４４の端縁による段差が生じ、この段差が人の首部に効果的な刺激を与える。
【００５０】
本発明の更に又他の態様として、図１４の断面模式図に示す指圧効果用用具２ｈｄが挙げられる。指圧効果用用具２ｈｄにおいては、長尺部材１２ｈｘ、１２ｈｙが基板８ｈに間隔をおいて互いに平行に配置されて枕基体６ｈｋを構成する。各長尺部材の長手方向は寝る人の丈方向と直交する。
【００５１】
長尺部材１２ｈｘ、１２ｈｙはそれぞれ長尺角材１２ｊｘ、１２ｊｙを含んでなり、それぞれの上部に弾性部材９ｈＬ、９ｈＲを備える。長尺部材１２ｈｘは首側部材１３ｈｈを構成する。
【００５２】
長尺部材１２ｈｘと長尺部材１２ｈｙとの間に着脱自在な着脱長尺部材１３ｈｋが配置される。長尺部材１２ｈｙは枕基体６ｈｋの図面視右端に位置する。この位置が着脱長尺部材１３ｈｋが装着された状態で人が就寝したときの頭頂側となる使用態様が好ましい。このとき、長尺部材１２ｈｘは枕基体６ｈｋの図面視左端に位置し、この位置が着脱長尺部材１３ｈｋが装着された状態で人が就寝したときの首側となる。
【００５３】
着脱長尺部材１３ｈｋは、基板８ｈ上に間隔をおいて立設された一対の案内板１２ｊｂ、１２ｊｂの間に挿入される挿入部６２ｈｈと、挿入部６２ｈｈの上方に位置する刺激体部６４ｈｈとで構成される。刺激体部６４ｈｈの基体部７０ｈｈと挿入部６２ｈｈとは一体に形成されている。刺激体部６４ｈｈの上面、即ち、着脱長尺部材１３ｈｋの上面は、寝る人の丈方向に湾曲する上に凸の曲面となっている。基体部７０ｈｈも寝る人の丈方向に湾曲する上に凸の曲面となっている。又、挿入部６２ｈｈの下端面に長尺のクッションシート６３ｈｈが貼着固定されていてもよい。着脱長尺部材１３ｈｋは、図８に示す着脱長尺部材１３ｋｋと同様の態様で着脱される。刺激体部６４ｈｈは、基体部７０ｈｈと基体部７０ｈｈの上面に貼着された弾性部材９ｈｃから成る。弾性部材９ｈｃは基体部７０ｈｈから、図面視左右（寝る人の丈方向）にそれぞれ張り出している。
【００５４】
着脱長尺部材１３ｈｋが装着された状態で、挿入部６２ｈｈと長尺角材１２ｊｂとの間には間隙１５ｋｋがあることが好ましい。これにより、装着された着脱長尺部材１３ｈｋが図面視左右に揺動可能となり、就寝時の頭の動きによる刺激が緩和されて好ましい。
【００５５】
弾性部材９ｈＬの最上面は、弾性部材９ｈＲの最上面より低い位置にある。着脱長尺部材１３ｈｋは、枕基体６ｈｋに装着された状態で、最上面５７ｈが、弾性部材９ｈＬの最上面や弾性部材９ｈＲの最上面の高さより高い。
【００５６】
弾性部材９ｈＬ、９ｈＲ、９ｈｃは、それぞれが枕基体６ｈｋの高さ方向に積層された複数の弾性を有する部材（弾性層）で構成されている。弾性部材９ｈＬ、９ｈＲ、９ｈｃは、それぞれが一体に成形されていてもよい。
【００５７】
弾性部材９ｈＬは第１弾性部材５７１、第２弾性部材５７２、第３弾性部材５７３が上からこの順に積層されて成る。弾性部材９ｈＲは第１弾性部材５８１、第２弾性部材５８２が上からこの順に積層されて成る外側弾性部材１９ｈＲと、第１弾性部材５９１、第２弾性部材５９２が上からこの順に積層されて成る外側弾性部材２０ｈＲとが左右に並列されて成る。弾性部材９ｈｃは第１弾性部材９５１、第２弾性部材９５２、第３弾性部材９５３が上からこの順に積層されて成る。これらの積層される各弾性部材の厚さは約７ｍｍであることが好ましい。
【００５８】
弾性部材の各層がそれぞれ異なる圧縮硬さを有することが好ましい。上方ほど低い圧縮硬さを有することが更に好ましい。長尺角材１２ｊｘ、１２ｊｙ、基体部７０ｈｈ、挿入部６２ｈｈ、基板８ｈは金属、樹脂又は木材から成ることが好ましい。木材はヒノキを含むことが芳香を放ち、睡眠時の精神安定効果があり好ましい。長尺角材１２ｊｘ、１２ｊｙは、硬質の樹脂発泡体から成るものであっても適度な弾性があり好ましい。
【００５９】
この構成により、着脱長尺部材１３ｈｋが枕基体６ｈｋに装着された状態で指圧効果用用具２ｈｄの上面を連ねると、寝る人の丈方向にみてなだらかな略山形の形状をなしている。
【００６０】
指圧効果用用具２ｈｄは枕として用いられる。指圧効果用用具２ｈｄの各所の寸法あるいは相対値は次に記述の値であることが就寝時の頭部及び首部への適度な刺激にとって好ましい。又（  ）内の値であることが更に好ましい。
指圧効果用用具２ｈｄの寝る人の丈方向の幅ＨＴＨ；１７〜２１（１８〜２０）ｃｍ
着脱長尺部材１３ｈｋの最上面５７ｈの位置と枕基体６ｈｋの図面視左端との間隔ＨＬと、最上面５７ｈの位置と枕基体６ｈｋの図面視右端との間隔ＨＲとの比率；５：５〜２：８（４：５〜２．５：７．５）
長尺角材１２ｊｘの高さＨＪＲ；３．５〜５．５ｃｍ（２．５〜３．５ｃｍ）
弾性部材９ｈＬの厚さ；１〜６ｃｍ（２〜４ｃｍ）
長尺角材１２ｊｙの寝る人の丈方向の幅ＨＷＬ；５〜８ｃｍ（５．５〜６．５ｃｍ）
基体部７０ｈｈの寝る人の丈方向の幅ＨＨＷ；４〜７ｃｍ（５〜６ｃｍ）
長尺部材１２ｈｘの高さＨＨＴ；４．５〜９．５ｃｍ（５〜９ｃｍ）
長尺部材１２ｈｙの高さＨＨＬ；５〜１１ｃｍ（６〜１０ｃｍ）
着脱長尺部材１３ｈｋの装着された状態の高さＨＧＨ；７〜１２ｃｍ（８〜１２ｃｍ）
【００６１】
着脱長尺部材１３ｈｋは、図１２に示されるような高さ調整スペーサを着脱長尺部材１３ｈｋと基板８ｈとの間に挿入してセットすることにより着脱長尺部材１３ｈｋの装着された状態の高さＨＧＨを変えることが出来る。高さ調整スペーサは四角柱状の部材を横にして用いることが好ましい。高さ調整スペーサは弾性を有する部材から成ることが好ましい。あるいは、一対の四角柱状の弾性体を板部材でサンドイッチ状に挟んだ形態のものが、曲げにくく取り扱い容易でかつ圧縮弾性に富み、又、クッション性がながもちして好ましい。
【００６２】
着脱長尺部材１３ｈｋが装着された指圧効果用用具２ｈｄは、着脱長尺部材１３ｈｋの上面が首の裏側の部分にあたるようにしてテレビ鑑賞、読書等をしてくつろぎながら、あるいは首を動かしてコリを取る動作をしながら使用することにより、首部に効果的な刺激を与えることが出来る。又、着脱長尺部材１３ｈｋが装着された指圧効果用用具２ｈｄは、通常の枕として使用される。種類の異なった（例えば高さ、幅、クッション性の異なった）着脱長尺部材１３ｈｋを各種用意しておき、そのなかから目的や気分に応じて、選択し装着して用いることが出来る。
【００６３】
指圧効果用用具２ｈｄは、着脱長尺部材１３ｈｋが枕基体６ｈｋに装着された状態で指圧効果用用具２ｈｄの上面を連ねると、寝る人の丈方向にみて略平坦である場合、人体に対する刺激がマイルドになり、長時間連続の使用においても快適な睡眠が得られ好ましい。寝る人の丈方向にみてなだらかな山形である場合、指圧効果が確実になり、過度の刺激もなく好ましい。
【００６４】
本発明の又他の態様として、図１５の断面模式図に示す指圧効果用用具２ｒｄが挙げられる。指圧効果用用具２ｒｄにおいては、長尺部材１２ｒｘ、１２ｒｙ、１２ｒｚ、１２ｒａ、１２ｒｂが基板８ｒ上にこの順で間隔をおいて互いに平行に配置されて指圧効果用用具２ｒｄを構成する。各長尺部材の長手方向は寝る人の丈方向と直交する。
【００６５】
長尺部材１２ｒｘ、１２ｒｙ、１２ｒｚ、１２ｒａ、１２ｒｂはそれぞれ長尺角材１２ｓｘ、１２ｓｙ、１２ｓｚ、１２ｓａ、１２ｓｂを含んでなり、それぞれの上部に弾性部材９ｒＬ、９ｒＲ、９ｒｄ、９ｒａ、９ｒｂを備える。
【００６６】
弾性部材９ｒＬ、９ｒＲ、９ｒｄ、９ｒａ、９ｒｂは、それぞれが指圧効果用用具２ｒｄの高さ方向に積層された複数の弾性を有する部材（弾性層）で構成されている。弾性部材９ｒＬ、９ｒＲ、９ｒｄ、９ｒａ、９ｒｂは、それぞれが一体に成形されていてもよい。
【００６７】
弾性部材９ｒＬは第１弾性部材６０１、第２弾性部材６０２が上からこの順に積層されて成る。弾性部材９ｒＲは第１弾性部材６１１、第２弾性部材６１２、第３弾性部材６１３が上からこの順に積層されて成る。弾性部材９ｒｄは第１弾性部材６２１、第２弾性部材６２２、第３弾性部材６２３が上からこの順に積層されて成る。弾性部材９ｒａは第１弾性部材６３１、第２弾性部材６３２、第３弾性部材６３３が上からこの順に積層されて成る。弾性部材９ｒｂは第１弾性部材６４１、第２弾性部材６４２、第３弾性部材６４３が上からこの順に積層されて成る。
【００６８】
弾性部材の各層がそれぞれ異なる圧縮硬さを有することが好ましい。上方ほど低い圧縮硬さを有することが更に好ましい。長尺角材１２ｓｘ、１２ｓｙ、１２ｓｚ、１２ｓａ、１２ｓｂは金属、樹脂又は木材から成ることが好ましい。木材はヒノキを含むことが芳香を放ち、睡眠時の精神安定効果があり好ましい。長尺角材１２ｓｘ、１２ｓｙ、１２ｓｚ、１２ｓａ、１２ｓｂ、基板８ｒは金属、樹脂又は木材から成ることが好ましい。木材はヒノキを含むことが芳香を放ち、睡眠時の精神安定効果があり好ましい。長尺角材１２ｓｘ、１２ｓｙ、１２ｓｚ、１２ｓａ、１２ｓｂは、硬質の樹脂発泡体から成るものであっても適度な弾性があり好ましい。
【００６９】
弾性部材９ｒＬの上面は、弾性部材９ｒＲ、９ｒｄ、９ｒａ、９ｒｂのいずれの上面より高い位置にある。弾性部材９ｒＲ、９ｒｄ、９ｒａ、９ｒｂの各上面をこの順に連ねると、寝る人の丈方向にみて略山形の形状をなしている。長尺角材１２ｓｙ、１２ｓｚ、１２ｓａ、１２ｓｂの各上面をこの順に連ねると、寝る人の丈方向にみて略山形の形状をなしていることが好ましい。弾性部材９ｒＲ、９ｒｄ、９ｒａ、９ｒｂの各上面をこの順に連ねた面と、長尺角材１２ｓｙ、１２ｓｚ、１２ｓａ、１２ｓｂの各上面をこの順に連ねた面とは平行であることが好ましい。弾性部材９ｒＲ、９ｒｄ、９ｒａ、９ｒｂは、寝る人の丈方向に張り出していることが頭部との接触面積を増やして好ましい。
【００７０】
本発明の指圧効果用用具２ｒｄにおいては、長尺部材１２ｒｙが人が就寝したときの首側に位置し、長尺部材１２ｒｘが頭頂側に位置することとなる。
【００７１】
指圧効果用用具２ｒｄは枕として用いられる。図１６に指圧効果用用具２ｒｄを枕として使用する態様を示す。長尺部材１２ｒａ、１２ｒｚが人の頭部の、頭頂部と首とのあいだの凹部にあてがわれてその部分が適度に刺激されて好ましい。
【００７２】
指圧効果用用具２ｒｄの各所の寸法あるいは相対値は次に記述の値であることが就寝時の頭部及び首部への適度な刺激にとって好ましい。
長尺角材１２ｓｘの高さＳＭＲ；５〜７ｃｍ
弾性部材９ｒＬの厚さ；０．３〜３ｃｍ
長尺角材１２ｓｙの寝る人の丈方向の幅ＲＷＬ；１〜３ｃｍ
長尺角材１２ｓｘの寝る人の丈方向の幅ＬＷＬ；１〜３ｃｍ
長尺部材１２ｒｘの高さＲＨＴ；７〜１２ｃｍ
長尺部材１２ｒｙの高さＲＨＬ；６〜８ｃｍ
弾性部材９ｒＲ、９ｒｄ、９ｒａ、９ｒｂの各上面をこの順に連ねた面の最高点の高さＲＲＨ；６．５〜８．５ｃｍ
指圧効果用用具２ｒｄの寝る人の丈方向の幅ＰＲＲ；１７〜２１ｃｍ
【００７３】
長尺部材、例えば長尺部材１２ｒｂは、クッション材１３ｑｑを介して基板８ｒに取り付けられてもよい。長尺部材１２ｒｂにより頭部に適度の刺激が与えられるとともに、クッション材１３ｑｑが、就寝時の頭部への刺激を緩和して快適な寝心地を実現する。
【００７４】
本発明の更に又他の態様として、図１７の断面模式図に示す指圧効果用用具２ｔｄが挙げられる。指圧効果用用具２ｔｄにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｄを構成する。各長尺部材の長手方向は寝る人の丈方向と直交する。
【００７５】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔＬ、９ｔＴ、９ｔｄ、９ｔａ、９ｔｂを備える。
【００７６】
弾性部材９ｔＬ、９ｔＲ、９ｔｄ、９ｔａ、９ｔｂは、それぞれが指圧効果用用具２ｔｄの高さ方向に積層された複数の弾性を有する部材（弾性層）で構成されている。弾性部材９ｔＬ、９ｔＲ、９ｔｄ、９ｔａ、９ｔｂは、それぞれが一体に成形されていてもよい。弾性部材９ｔＬ、９ｔＲ、９ｔｄ、９ｔａ、９ｔｂは、それぞれが隣接の弾性部材の方向に張り出していることが好ましい。
【００７７】
弾性部材９ｔＬは第１弾性部材７０１、第２弾性部材７０２が上からこの順に積層されて成る。弾性部材９ｔＲは第１弾性部材７１１、第２弾性部材７１２が上からこの順に積層されて成る。弾性部材９ｔｄは第１弾性部材７２１、第２弾性部材７２２が上からこの順に積層されて成る。弾性部材９ｔａは第１弾性部材７３１、第２弾性部材７３２、薄板部材７７７、第３弾性部材７３３が上からこの順に積層されて成る。弾性部材９ｔｂは第１弾性部材７４１、第２弾性部材７４２が上からこの順に積層されて成る。
【００７８】
薄板部材７７７は、第２弾性部材７３２と第３弾性部材７３３の間に介在し、弾性部材９ｔａの長手方向中央部に頭部等の荷重を受けたときに、その荷重を受けた部分だけが過剰に凹むことを防止する。これにより、ねごこちが良くなる。薄板部材７７７のような薄板部材を有する弾性部材の構成は、他の弾性部材にも適用され、ねごこちを改善することが出来る。薄板部材は長尺の薄板を複数枚並べて配するのがよいが、１枚の薄板から成るものであってもよい。
【００７９】
弾性部材は各層がそれぞれ異なる圧縮硬さを有することが好ましい。上方ほど低い圧縮硬さを有することが更に好ましい。長尺角材１２ｖｘ、１２ｖｙ、１２ｖｚ、１２ｖａ、基板８ｔは金属、樹脂又は木材から成ることが好ましい。木材はヒノキを含むことが芳香を放ち、睡眠時の精神安定効果があり好ましい。長尺角材１２ｖｘ、１２ｖｙ、１２ｖｚ、１２ｖａは、硬質の樹脂発泡体から成るものであっても適度な弾性があり好ましい。
【００８０】
弾性部材９ｔａの上面は、弾性部材９ｔＬ、９ｔｄ、９ｔＲ、９ｔｂのいずれの上面より高い位置にある。弾性部材９ｔＬ、９ｔｂ、９ｔａ、９ｔｄ、９ｔＲの各上面をこの順に連ねると、寝る人の丈方向と平行な方向にみて略山形の形状をなしている。長尺角材１２ｖｘ、１２ｖｙ、１２ｖｚ、１２ｖａ、１２ｖｂの高さは互いにほぼ等しいことが好ましい。長尺角材１２ｖｘ、１２ｖｙ、１２ｖｚ、１２ｖａ、１２ｖｂの幅は互いにほぼ等しいことが好ましい。
【００８１】
本発明の指圧効果用用具２ｔｄにおいては、長尺部材１２ｔｘが人が就寝したときの首側に位置し、長尺部材１２ｔｙが頭頂側に位置することとなる。
【００８２】
指圧効果用用具２ｔｄは枕として用いられる。指圧効果用用具２ｔｄの各所の寸法あるいは相対値は次に記述の値であることが就寝時の頭部及び首部への適度な刺激にとって好ましい。
長尺角材１２ｖｘの高さＶＷＲ；２．５〜３．５ｃｍ
長尺角材１２ｖｘの寝る人の丈方向の幅ＶＲＶ；１．５〜３．５ｃｍ
弾性部材９ｔＬの厚さ；１．５〜３．５ｃｍ
長尺部材１２ｔｘの高さＶＭＴ；５．５〜７．５ｃｍ
長尺部材１２ｔｙの高さＶＨＬ；４．５〜６．５ｃｍ
弾性部材９ｔＬ、９ｔｂ、９ｔａ、９ｔｄ、９ｔＲの各上面をこの順に連ねた面の最高点の高さＶＴＨ；６．５〜８．５ｃｍ
指圧効果用用具２ｔｄの寝る人の丈方向の幅ＰＶＶ；１７〜２１ｃｍ
指圧効果用用具２ｔｄの、図面視左端から、長尺角材１２ｖａの寝る人の丈方向にみたセンターまでの距離ＶＬと、図面視右端から、長尺角材１２ｖａの寝る人の丈方向にみたセンターまでの距離ＶＲとの比；１：３〜１：１
【００８３】
本発明においては、図１８に示すように、各長尺部材がバネ２０１で支承される態様であってもよい。図１８において、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｄを構成する。基板８ｔ上には横長で輪切り断面が凵字形のケーシング２０２が各長尺部材の位置に対応して固定されている。各長尺部材の下端部がケーシング２０２にはめ込まれる。この態様により、各長尺部材が弾性的に上下動可能となり、更に快適な寝心地が得られる。バネを用いたこのような態様は、他の指圧効果用用具の長尺部材にも適用出来る。
【００８４】
本発明においては、図１９に示す指圧効果用用具２ｔｄｄのように、長尺角材１２ｖｘ、１２ｖｂ、１２ｖａ、１２ｖｚ、１２ｖｙが、各上面をこの順に連ねると、寝る人の丈方向と平行な方向にみて略山形の形状をなしていてもよい。この場合、弾性部材９ｔＬ、９ｔＲ、９ｔｄ、９ｔａ、９ｔｂは同じ厚さであることが好ましい。
【００８５】
長尺部材は、高さが変更可能であってもよい。例えば、図２０に示すように、長尺角材（１２ｖｘ（図１７、図１９）等）に替えて長尺角材１６ｍｘ、１６ｎｘ等がそれぞれ用いられてもよい。例えば長尺角材１６ｍｘは、基板８の上面に固定されたユニット基礎３０２の上にユニット３０４、３０４及び上部ユニット３０６が重畳され、さらに上部ユニット３０６の上に弾性部材９ｔＲが貼着されてなる。ユニット３０４、３０４はそれぞれ着脱自在であり、選択的に着脱することにより、長尺角材１６ｍｘの高さを変更できる。ユニット基礎３０２及びユニット３０４の上面には自身の長手方向に溝が形成され、ユニット３０４、３０４及び上部ユニット３０６の下面には自身の長手方向に突条が形成され、この溝に対応の突条をはめて長尺角材１６ｍｘの構造を固定する。溝の底には粘着テープ３０７が貼着されており、上下のユニットが粘着テープ３０７を介して接着剥離自在に固定される。この構成で長尺部材は高さが変更可能となる。
【００８６】
又、長尺角材１２ｖｘ、１２ｖｂ、１２ｖａ、１２ｖｚ、１２ｖｙ（図１７など）は、自身の長手方向と直角方向に移動可能とされ、移動した位置で一時的に固定される構成であってもよい。これにより、各長尺部材間の間隔を好みにあわせて調節できる。例えば、図２１に示すように、基板８ｐｑに長尺角材１２ｖｘに相当する長尺角材１２ｓｓの長手方向と直交して溝３２４が形成され、溝３２４の底にスリット３２２が形成され、長尺角材１２ｓｓの底面に雌螺子孔３２６が形成され、ボルト３２０がスリット３２２を貫通して雌螺子孔３２６に螺合して長尺角材１２ｓｓがボルト３２０により締結される構成であってもよい。図２０、図２１の態様は他の指圧効果用用具の長尺部材にも適用出来る。
【００８７】
本発明においては、図２２に示す指圧効果用用具２ｔｄｆのように、基板８ｄｆ上に長尺部材１２ｄｆが６個配されていてもよい。本発明の指圧効果用用具においては、長尺部材は５個、６個に限らず３個、４個、７個以上など複数個配されていてもよい。
【００８８】
本発明においては、図２３に示す指圧効果用用具２ｔｄｇのように、基板８ｄｆ上に複数個（例えば６個）の長尺部材１２ｄｆが配されて、各長尺部材１２ｄｆの構成要素である長尺角材１２ｆｆについて、隣接の長尺角材１２ｆｆの間に補強スペーサ９０ｆｆが基板８ｄｆ上に固定されて配されてもよい。この態様は、長尺角材１２ｆｆが弾性体から成るときに、長尺角材１２ｆｆが倒れるのを防ぎ好ましい。
【００８９】
長尺部材を併べて設けた枕の好ましい態様の他の一例としては、図２７に示す指圧効果用用具２ｔｘｇが挙げられる。指圧効果用用具２ｔｘｇにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｘｇを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形又は略平坦である。
【００９０】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔＬ、９ｔＴ、９ｔｄ、９ｔａ、９ｔｂを備える。
【００９１】
長尺部材１２ｔｘ、１２ｔｙ、１２ｔａ、１２ｔｂは、長尺角材が木製等の剛体であればそれぞれ幅（人の丈方向）が２０〜２６ｍｍであることが好ましい。発泡樹脂等の弾性体から成るものであれば幅（人の丈方向）が２８〜３２ｍｍであることが好ましい。長尺部材１２ｔｚの幅は３５〜４５ｍｍであることが好ましい。各長尺部材間の間隔は、長尺角材が木製等の剛体であれば９〜１３ｍｍであることが好ましい。長尺角材が発泡樹脂等の弾性体から成るものであれば７〜８ｍｍであることが好ましい。
【００９２】
弾性部材９ｔＬ、９ｔＲ、９ｔｄ、９ｔａ、９ｔｂは、それぞれが指圧効果用用具２ｔｄの高さ方向に積層された複数層の弾性を有する部材（弾性層）で構成されている。
【００９３】
弾性部材９ｔＬは第１弾性部材１７０１、第２弾性部材１７０２が上からこの順に積層されて成る。弾性部材９ｔＲは第１弾性部材１７１１、第２弾性部材１７１２が上からこの順に積層されて成る。弾性部材９ｔｄは、段差用弾性部材１１１１、第１弾性部材１７２１、第２弾性部材１７２２、が上からこの順に積層されて成る。弾性部材９ｔａは第１弾性部材１７３１、第２弾性部材１７３２が上からこの順に積層されて成る。弾性部材９ｔｂは第１弾性部材１７４１、第２弾性部材１７４２が上からこの順に積層されて成る。
【００９４】
図２７における長尺角材は、木材、樹脂又は金属等の剛体から成るものであってもよいが、見かけ密度０．２〜０．９の発泡樹脂から成ることが長時間の使用が可能であり、好ましい。
【００９５】
発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２、見かけ密度は、０．０２５〜０．１０ｇ／ｃｍ３であることが適度な刺激効果を得るうえで好ましい。発泡樹脂はＥＶＡ系の樹脂の発泡体であることが靭性に優れさらに好ましい。
【００９６】
図２７における第１弾性部材は、見かけ密度０．００１〜０．０３の発泡樹脂から成ることが身体への刺激をマイルドなものにして好ましい。第２弾性部材は、見かけ密度が第１弾性部材より大きくかつ０．０２５〜０．２の発泡樹脂から成ることが好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．１〜０．８Kｇｆ／ｃｍ２であることが適度な刺激効果を得るうえで好ましい。発泡樹脂はポリエチレン系の樹脂の発泡体であることがクッション性に優れさらに好ましい。
【００９７】
段差用弾性部材１１１１は、幅が第１弾性部材１７２１より小さく、段差用弾性部材１１１１と第１弾性部材１７２１とで段差１１１２が形成される。段差１１１２の部分が寝た人の頸部の裏側を適度に刺激して血行をよくする。指圧効果用用具２ｔｘｇはこの段差用弾性部材１１１１が配されなくとも有効である。
【００９８】
長尺部材を併べて設けた枕の好ましい態様の更に他の一例としては、図２８に示す指圧効果用用具２ｔｙｇが挙げられる。指圧効果用用具２ｔｙｇにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｙｇを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形又は略平坦である。
【００９９】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔｙＬ、９ｔｙＴ、９ｔｙｄ、９ｔｙａ、９ｔｙｂを備える。
【０１００】
図２８においても、長尺部材１２ｔｘ、１２ｔｙ、１２ｔａ、１２ｔｂは、長尺角材が木製等の剛体であればそれぞれ幅（人の丈方向）が２０〜２６ｍｍであることが好ましい。発泡樹脂等の弾性体から成るものであれば幅（人の丈方向）が２８〜３２ｍｍであることが好ましい。長尺部材１２ｔｚの幅は３５〜４５ｍｍであることが好ましい。各長尺部材間の間隔は、長尺角材が木製等の剛体であれば９〜１３ｍｍであることが好ましい。長尺角材が発泡樹脂等の弾性体から成るものであれば７〜８ｍｍであることが好ましい。
【０１０１】
弾性部材９ｔｙＬ、９ｔｙＴ、９ｔｙｄ、９ｔｙａ、９ｔｙｂは、それぞれが高さ方向に積層された複数層の弾性を有する部材（弾性層）で構成され中間層として長尺板部材６４が設けられている。長尺板部材６４は弾性部材９ｔｙｄのみに配されていてもよい。弾性部材９ｔｙｄは、段差用弾性部材１１１１が最上面に積層されている。弾性部材９ｔｙＬ、９ｔｙＴ、９ｔｙｄ、９ｔｙａ、９ｔｙｂのそれぞれの単層の厚さＬ５Ｍは、５〜１０ｍｍが好ましい。
【０１０２】
段差用弾性部材１１１１は、弾性部材９ｔｙｄの上面に両面粘着接着テープ等を介して着脱可能に貼着されていることが好ましい。
【０１０３】
図２８における長尺角材は、木材、樹脂又は金属等の剛体から成るものであってもよい。木材としてはひのきがいやし効果があり好ましい。長尺角材は、見かけ密度０．２〜０．９の発泡樹脂から成ることが長時間の使用が可能であり、更に好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１０４】
図２８における弾性部材は、０．０２５〜０．２の発泡樹脂から成ることが好ましい。段差用弾性部材１１１１は、幅が弾性部材９ｔｙｄより小さく、段差用弾性部材１１１１と弾性部材９ｔｙｄとで段差１１１２が形成される。段差１１１２の部分が寝た人の頸部の裏側を適度に刺激して血行をよくする。段差１１１２における段差用弾性部材１１１１の高さＴＭＨは５〜１５ｍｍが好ましい。段差１１１２における段が降りたところの面１１１４の幅ＬＭＭは５〜１５ｍｍが好ましい。１２〜１３ｍｍであることが更に好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１０５】
長尺部材を併べて設けた枕の好ましい態様の又更に他の一例として、図２９に示す指圧効果用用具２ｔｚｇが挙げられる。指圧効果用用具２ｔｚｇにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｚｇを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形である。
【０１０６】
長尺部材１２ｔｘ、１２ｔｙ、１２ｔｚ、１２ｔａ、１２ｔｂはそれぞれ見かけ密度０．２〜０．９の発泡樹脂から成る。長尺部材１２ｔｘ、１２ｔｙ、１２ｔａ、１２ｔｂはそれぞれ幅（人の丈方向）が２８〜３２ｍｍであることが好ましい。長尺部材１２ｔｚの幅は３５〜４５ｍｍであることが好ましい。各長尺部材間の間隔は７〜１３ｍｍであることが好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１０７】
長尺部材１２ｔｚは、段差用弾性部材（短幅長尺弾性部材）１１１１が最上面に積層されている。段差用弾性部材１１１１は、幅が長尺部材１２ｔｚより小さく、段差用弾性部材１１１１と長尺部材１２ｔｚとで段差１１１２が形成される。段差１１１２の部分が寝た人の頸部の裏側を適度に刺激して血行をよくする。段差用弾性部材１１１１は、上層の薄い第一弾性部材１１３０と、下層の第二弾性部材１１３２とから構成される。第一弾性部材１１３０は見かけ密度０．０１５〜０．２の発泡樹脂から成ることが適度なクッション性を与え好ましい。第二弾性部材１１３２は見かけ密度０．０２〜０．９の発泡樹脂から成ることが適度なクッション性と刺激を与え好ましい。段差１１１２における段が降りたところの面１１３６には、見かけ密度０．０１５〜０．２の発泡樹脂から成るシート状の第三弾性部材１１４０が貼着されていることが適度なクッション性を与え好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１０８】
長尺部材を併べて設けた枕の好ましい態様の他の一例としては、図３０に示す指圧効果用用具２ｔｘｈが挙げられる。指圧効果用用具２ｔｘｈにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｘｈを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形である。
【０１０９】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔＬ、９ｔＴ、９ｔｄ、９ｔａ、９ｔｂを備える。
【０１１０】
長尺部材１２ｔｘ、１２ｔｙ、１２ｔａ、１２ｔｂは、長尺角材が木製等の剛体であればそれぞれ幅（人の丈方向）が２０〜２６ｍｍであることが好ましい。発泡樹脂等の弾性体から成るものであれば幅（人の丈方向）が２８〜３２ｍｍであることが好ましい。長尺部材１２ｔｚの幅は３５〜４５ｍｍであることが好ましい。各長尺部材間の間隔は、長尺角材が木製等の剛体であれば９〜１３ｍｍであることが好ましい。長尺角材が発泡樹脂等の弾性体から成るものであれば７〜８ｍｍであることが好ましい。
【０１１１】
弾性部材９ｔＬ、９ｔＲ、９ｔａ、９ｔｂは、それぞれが見かけ密度０．０１５〜０．３の１層又は高さ方向に積層された多層の発泡樹脂から成る。弾性部材９ｔｄは、高さ方向に積層された見かけ密度０．０１５〜０．３の複数層の弾性部材で構成され中間層として長尺板部材６４が設けられている。長尺板部材６４はなくともよい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１１２】
弾性部材９ｔＬ、９ｔＲ、９ｔｄ、９ｔａ、９ｔｂはそれぞれがレザーあるいは人工レザー系のシート１１４２で少なくとも側面が被覆されている。上面も同時に被覆されていることが好ましい。この被覆により、弾性部材が下方へ圧縮されたとき、横方向へのはみ出しが少なくなり、弾性部材の適度の弾性が確保され好ましい。
【０１１３】
図３０における長尺角材は、木材、樹脂又は金属等の剛体から成るものであってもよいが、見かけ密度０．２〜０．９の発泡樹脂から成ることが長時間の使用が可能であり、好ましい。長尺角材１２ｖｘ、１２ｖｙ、１２ｖｚ、１２ｖａ、１２ｖｂが剛体から成る場合は、身体への刺激効果が短時間で得られる。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１１４】
長尺部材１２ｔｚは、見かけ密度０．０２〜０．９の発泡樹脂から成る段差用弾性部材１１１１が最上面に積層されている。段差用弾性部材１１１１は、幅が長尺部材１２ｔｚより小さく、段差用弾性部材１１１１と長尺部材１２ｔｚとで段差１１１２が形成される。段差１１１２の部分が寝た人の頸部の裏側を適度に刺激して血行をよくする。
【０１１５】
長尺部材を併べて設けた枕の好ましい態様の他の一例としては、図３１に示す指圧効果用用具２ｇｇｇが挙げられる。指圧効果用用具２ｇｇｇおいては、長尺部材１２ｔｘｇｇ、１２ｔｙｇｇ、１２ｔｚｇｇ、１２ｔａｇｇ、１２ｔｂｇｇが基板８ｔにこの順で間隔をおいて互いに平行に配置されて指圧効果用用具２ｇｇｇを構成する。各長尺部材の長手方向は寝る人の丈方向と直交し、長尺部材１２ｔｘｇｇ、１２ｔｙｇｇ、１２ｔｚｇｇ、１２ｔａｇｇ、１２ｔｂｇｇの上面をこの丈方向に連ねた面が略山形又は略平坦である。
【０１１６】
長尺部材１２ｔｘｇｇ、１２ｔｙｇｇ、１２ｔｚｇｇ、１２ｔａｇｇ、１２ｔｂｇｇはそれぞれ下から長尺高密度発泡樹脂材１２ｖｘｇ、長尺低密度発泡樹脂材１２ｖｙｇから成る２層構造を形成している。更に、長尺部材１２ｔｚｇｇの最上層として、段差用弾性部材１１１１の層が形成されている。
【０１１７】
長尺部材１２ｔｘｇｇ、１２ｔｙｇｇ、１２ｔａｇｇ、１２ｔｂｇｇはそれぞれ幅（人の丈方向）が２８〜３２ｍｍであることが好ましい。長尺部材１２ｔｚｇｇの幅は３５〜４５ｍｍであることが好ましい。各長尺部材間の間隔は７〜１２ｍｍであることが好ましい。但し、長尺部材１２ｔａｇｇと長尺部材１２ｔｂｇｇとの間隔は５〜１０ｍｍであることが好ましい。
【０１１８】
各長尺部材はそれぞれがシートで少なくとも側面が被覆されていてもよい。この被覆により、弾性部材が下方へ圧縮されたとき、横方向へのはみ出しが少なくなり、長尺部材の適度の弾性が確保され好ましい。
【０１１９】
図３１における長尺高密度発泡樹脂材１２ｖｘｇは、木材、樹脂又は金属等の剛体角材で置き換えられてもよい。
【０１２０】
長尺部材１２ｔｚｇは、見かけ密度０．０２〜０．９の発泡樹脂から成る段差用弾性部材１１１１が最上面に積層されている。段差用弾性部材１１１１は、幅が長尺部材１２ｔｚより小さく、段差用弾性部材１１１１と長尺部材１２ｔｚとで段差１１１２が形成される。段差１１１２の部分が寝た人の頸部の裏側を適度に刺激して血行をよくする。
【０１２１】
指圧効果用用具２ｇｇｇ、指圧効果用用具２ｔｘｈｇのような、長尺部材が列配されてなる指圧効果用用具においては、隣接の長尺部材の間の隙間に、その隙間を埋めるように、弾性板部材２００８が充填されていてもよい。この態様の一例を図３２に示す。弾性板部材２００８は、その両側の長尺部材のうちの高さの低い長尺部材の上面のレベルまで充填される。
【０１２２】
弾性板部材２００８は、見かけ密度０．０２〜０．２の発泡樹脂から成ることが好ましい。発泡樹脂は例えばポリウレタン系、ポリオレフィン系、ポリエステル系、ポリエーテル系、合成ゴム系、ＥＶＡ系等の樹脂の発泡体であることが好ましく、ＰＥ系樹脂であることが適度な刺激効果を得るうえで好ましい。
【０１２３】
このような、隣接の長尺部材の間の隙間に弾性板部材２００８が充填された態様の指圧効果用用具においては、各長尺部材が見かけ密度０．０２〜０．２のＰＥ系樹脂発泡樹脂から成ることが更に好ましい。
【０１２４】
長尺部材を併べて設けた枕の好ましい態様の更に他の一例としては、図３３に示す指圧効果用用具２ｔｘｑが挙げられる。指圧効果用用具２ｔｘｑにおいては、長尺部材１２ｔｘ、１２ｔｙ、１２ｔｚ、１２ｔａ、１２ｔｂ、１２ｔｃが基板８ｔにこの順で互いに平行に配置されて指圧効果用用具２ｔｘｑを構成する。各長尺部材の長手方向は寝る人の丈方向と直交し、長尺部材１２ｔｘ、１２ｔｙ、１２ｔｚ、１２ｔａ、１２ｔｂ、１２ｔｃの上面をこの丈方向に連ねた面が略山形である。
【０１２５】
長尺部材１２ｔｘ、１２ｔｙ、１２ｔｚ、１２ｔａ、１２ｔｂ、１２ｔｃはそれぞれ長尺角材１２ｖｘ、１２ｖｙ、１２ｖｚ、１２ｖａ、１２ｖｂ、１２ｖｃを含んでなり、それぞれの上部に弾性部材９ｔＬ、９ｔＴ、９ｔｄ、９ｔａ、９ｔｂ、９ｔｃを備える。
【０１２６】
長尺部材１２ｔｘ、１２ｔｙ、１２ｔａ、１２ｔｂ、１２ｔｃはそれぞれ幅（人の丈方向）が２８〜４５ｍｍであることが好ましい。長尺部材１２ｔｚの幅は３０〜４５ｍｍであることが好ましい。隣接の長尺部材は互いにほぼ接している。隣接の長尺部材が互いに連接している態様も可能であるが、隣接の長尺部材が互いにほぼ接しているほうが、各長尺部材が圧縮に対して独立に変形挙動しやすく使用者の頭部への刺激がかたよらず好ましい。
【０１２７】
弾性部材９ｔｄは、段差用弾性部材１１１１、主弾性部材１９２１が上からこの順に積層されて成る。段差用弾性部材１１１１は、幅が主弾性部材１９２１より小さく、段差用弾性部材１１１１と主弾性部材１９２１とで段差１１１２が形成される。段差１１１２の部分が寝た人の頸部の裏側を適度に刺激して血行をよくする。
【０１２８】
図３３における長尺角材は、木材、樹脂又は金属等の剛体から成るものであってもよいが、見かけ密度０．２〜０．９の発泡樹脂から成ることが長時間の使用が可能であり、好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２、見かけ密度は、０．０２５〜０．１０ｇ／ｃｍ３であることが適度な刺激効果を得るうえで好ましい。発泡樹脂はＥＶＡ系の樹脂の発泡体であることが靭性に優れさらに好ましい。
【０１２９】
弾性部材は、見かけ密度０．００１〜０．０３の発泡樹脂から成ることが身体への刺激をマイルドなものにして好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．１〜０．８Kｇｆ／ｃｍ２であることが適度な刺激効果を得るうえで好ましい。発泡樹脂はポリエチレン系の樹脂の発泡体であることがクッション性に優れさらに好ましい。
【０１３０】
弾性部材はそれぞれが独立のシート１１４２で上面が被覆されていることが好ましい。この被覆により弾性部材の上面の使用時の耐摩耗性が向上する。
【０１３１】
長尺部材を併べて設けた枕の好ましい態様の別の一例として、図３４に示す指圧効果用用具２ｔｚｋが挙げられる。指圧効果用用具２ｔｚｋにおいては、長尺部材１２ｔｘ、１２ｔｙ、１２ｔｚ、１２ｔａ、１２ｔｂが成形体８８８ｔに形成された溝にこの順で間隔をおいて互いに平行に下端部を嵌めこまれ配置されて指圧効果用用具２ｔｚｋを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形又は略平坦である。
【０１３２】
長尺部材１２ｔｘ、１２ｔｙ、１２ｔｚ、１２ｔａ、１２ｔは、見かけ密度０．２〜０．９の発泡樹脂から成り、上面に見かけ密度０．０１５〜０．３の発泡樹脂からなり、かつ長尺部材より見かけ密度の低いクッション層１１６０を備える。長尺部材を構成する発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１３３】
クッション層１１６０を構成する発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１３４】
成形体８８８ｔは樹脂、又は見かけ密度０．２〜０．９の発泡樹脂を金型を用いて成形して得られる。
【０１３５】
長尺部材を併べて設けた枕の好ましい態様の更に別の一例として、図３５に示す指圧効果用用具２ｔｚｍが挙げられる。指圧効果用用具２ｔｚｍにおいては、長尺部材１２ｔｘ、１２ｔｙ、１２ｔｚ、１２ｔａ、１２ｔｂが下端部で連接された成形体８８９ｔに形成されて、基板８ｔと貼り合わされて成る。各長尺部材は上面に長尺部材より見かけ密度の低いクッション層１１６０を備える。成形体８８９ｔは見かけ密度０．２〜０．９の発泡樹脂を金型を用いて成形して得られる。
【０１３６】
長尺部材を併べて設けた枕の好ましい態様の又更に別の一例として、図３６に示す指圧効果用用具２ｔｚｎが挙げられる。指圧効果用用具２ｔｚｎにおいては、長尺部材１２ｔｘ、１２ｔｙ、１２ｔｚ、１２ｔａ、１２ｔｂが下端部で連接された成形体８９０ｔに形成されて、基板８ｔと貼り合わされて成る。各長尺部材は上面に長尺部材より見かけ密度の低いクッション層を備えてもよい。成形体８９０ｔは見かけ密度０．２〜０．９の発泡樹脂を金型を用いて成形して得られる。長尺部材１２ｔｚは上面に段差１１６４が形成されている。
【０１３７】
図３４〜図３６に示す態様は複雑な形状が１工程の金型による成形で得られるので製造コストの軽減がなされ好ましい。
【０１３８】
枕として使用する本発明の指圧効果用用具の他の態様においては、図３７の指圧効果用用具２ｐｘｘのように基板８ｔ上に枕クッション体１１５０が固定され、更に、枕クッション体１１５０の上面の寝る人の丈方向に関する中間部に、１個の長尺弾性部材１１５２が長手方向をその方向と直交させて配置されている。枕クッション体１１５０は見かけ密度０．２〜０．９の発泡樹脂から成り、上面が寝る人の丈方向に関して略山形又は略平坦をなしている。枕クッション体１１５０は高さが５〜１５ｃｍ、使用時の人の丈方向の縦幅が１５〜３０ｃｍ、横幅が３０〜１２０ｃｍである。長尺弾性部材１１５２の寝る人の丈方向の幅は１〜８ｃｍであることが好ましい。２〜４ｃｍであることが更に好ましい。長尺弾性部材１１５２の厚さは５〜１５ｍｍであることが好ましい。枕クッション体１１５０を構成する発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１３９】
図３８に示すように、枕として使用する本発明の更に他の態様の指圧効果用用具２ｐｘ１のように、枕クッション体は、上面に寝る人の丈方向に関して複数の段差がある枕クッション体１１５４であってもよい。
【０１４０】
本発明の枕として使用する本発明の又更に他の態様においては、図３９に示す指圧効果用用具２ｐｘ２のように、枕クッション体１１５４ａが、見かけ密度０．０１５〜０．３の長尺発泡樹脂体１１７４が縦横にレンガを積み上げるように重畳され配列された長尺発泡樹脂集合体１１５４ａから成るものであってもよい。長尺発泡樹脂集合体１１５４ａは長尺発泡樹脂体１１７４を重畳してなる長尺重畳ブロック体８４ａ、８４ｂ、８４ｃ、８４ｄ、８４ｅ、８４ｆが、長手方向を枕を使用する人の丈方向と直交する方向に平行にして隣接の長尺重畳ブロック体同士をほぼ密着させて基板８ｔ上に配される。枕クッション体１１５４ａの上面は全体として図３８の枕クッション体１１５４の上面のように山形をなしている。各長尺重畳ブロック体は、一体の発泡樹脂体から成るものであってもよい。
【０１４１】
指圧効果用用具２ｔｄに装着する着脱長尺部材の他の態様の一例を図２４に示す。図２４において、着脱長尺部材１３ｍｄは、長尺基板１４ｍｄと、長尺基板１４ｍｄの上面に配された弾性部材１６ｍｄと、長尺基板１４ｍｄの幅方向の片辺から垂下する挿入板２１ｍｄと、スペーサ２２ｍｄとから構成される。弾性部材１６ｍｄは第１弾性部材９１ｍ、第２弾性部材９２ｍ、第３弾性部材９３ｍが上からこの順に積層されて成る。弾性部材１６ｍｄは第１弾性部材９１ｍ、第２弾性部材９２ｍ、第３弾性部材９３ｍが一体に成形されたものであってもよい。弾性部材１６ｍｄは長尺基板１４ｍｄの辺から図面視左右にそれぞれ張り出している。
【０１４２】
着脱長尺部材１３ｍｄは、長手方向を長尺部材１２ｍｚの長手方向と平行にして、長尺部材１２ｔａに載置され支承される。スペーサ２２ｍｄは、長尺基板１４ｍｄが水平に配置されるよう、長尺部材１２ｔｂの上面に載置される。挿入板２１ｍｄは、長尺部材１２ｔｂと長尺部材１２ｔｚとの間の隙間に差し込まれる。図２５（ａ）に着脱長尺部材１３ｍｄの斜視模式図を示す。
【０１４３】
図２５（ｂ）に示すように、３個の長尺角型材４５２ｇが長手方向を使用する人の丈方向と直交させて着脱長尺部材１３ｍｍｇの上面に備えることによりさらに指圧効果が高まる。着脱長尺部材１３ｍｍｇの下面に弾性板１０００が貼着されて緩衝の役目をはたしてもよい。長尺角型材４５２ｇは発泡樹脂から成る上層１００２と、下層の薄板１００３から成ることが好ましい。
【０１４４】
１個、２個又は、４個以上の長尺角型材４５２ｇが着脱長尺部材１３ｍｍｇの上面に備えられてもよい。長尺角型材４５２ｇは発泡樹脂から成る上層１００２と、下層の薄板（板骨層）１００３から成ることが好ましい。下層の薄板（板骨層）１００３は、金属、樹脂又は木材から成る。長尺角型材４５２ｇが複数個着脱長尺部材１３ｍｍｇの上面に備えられる場合は、長尺角型材４５２ｇの断面幅は１４〜１６ｍｍであることが好ましい。高さは９〜１１ｍｍであることが好ましい。薄板（板骨層）１００３の厚さは２〜３ｍｍであることが好ましい。上層１００２の厚さは６〜７ｍｍであることが好ましい。
【０１４５】
着脱長尺部材４５０ｇには木製の角材から成る長尺角型材４５２ｇが上面の好ましくは中央に１個配されていてもよい。長尺角型材４５２ｇが上面に１個配される場合は、長尺角型材４５２ｇは木製角材であることが好ましく、その幅は２．５〜４ｃｍ、高さは２．５〜３．５ｃｍであることが好ましい。この態様は、短時間の使用によりコリの解消に有効である。長尺角型材４５２ｇは外断面形状が正方形であってもよい。矩形であってもよい。この角材は外断面形状でみてかどが面取りされて丸められている形状であってもよい。この角材は樹脂製であってもよい。
【０１４６】
着脱長尺部材１３ｔｄ、１３ｍｄは、指圧効果用用具２ｔｄの他に指圧効果用用具２ｒｄ、２ｔｇｄ、２ｔｄｆ、２ｔｄｄ、２ｗｄ、２ｗｄｄ、２ｒｄ、２ｐｘ２、２ｔｘｑに好適に適用出来る。又、図３９に示す指圧効果用用具２ｐｘ２に対して、隣接の長尺重畳ブロック体同士の境界１１８４に挿入されて用いることが出来る。
【０１４７】
なお、本発明の図１、図７をはじめとする各種の態様の指圧効果用用具や基体部２ｘｚ１の構成要素である長尺部材（長尺部材１２、長尺部材１２ｐｋ、長尺部材１２ｐｂ、長尺部材１２ａ、長尺部材１２ｒｘｚ、等々）は、前述のように木、樹脂等の剛な部材を主体に構成されてもよいが、マイルドな刺激を得るためには比較的高密度の発泡樹脂のような弾性体で構成されてもよい。
【０１４８】
以上本発明の指圧効果用用具の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【０１４９】
例えば図２６に示すように、枕として使用される本発明の各種態様の指圧効果用用具は基体の下面に着脱自在に高さ調節板９０ｔｔｙを備えてもよい。又、枕として使用される本発明の各種態様の指圧効果用用具は、例えば、基板８を人の丈方向に外側に延長して安定化を計ってもよい。
【図面の簡単な説明】
【０１５０】
【図１】本発明の指圧効果用用具の斜視図である。
【図２】図１の指圧効果用用具が使用される状態を示す側面模式図である。
【図３】図３（ａ）は、図１の指圧効果用用具に用いられる枕基体のＡ−Ａ´方向の断面図である。図３（ｂ）は、図３（ａ）と異なる態様の枕基体の断面図である。
【図４】図４（ａ）は、本発明における他の態様の枕基体を示す断面模式図、図４（ｂ）は図４（ａ）と異なる態様の枕基体を示す断面模式図、図４（ｃ）は図４（ｂ）と異なる態様の枕基体を示す断面模式図である。
【図５】枕基体の他の態様の一例を示す断面図である。
【図６】本発明の指圧効果用用具の他の態様の一例を示す断面図である。
【図７】本発明の指圧効果用用具の更に他の態様の一例を示す断面模式図である。
【図８】図７の指圧効果用用具の、着脱長尺部材を着脱する状態を示す要部斜視模式図である。
【図９】図７に示す指圧効果用用具と同様の用途に用いられ、図７に示す指圧効果用用具とは異なる態様の本発明の指圧効果用用具の一例を示す断面模式図である。
【図１０】図９に示す指圧効果用用具を使用する状態を示す側面模式図である。
【図１１】着脱長尺部材の下にスペーサが設置された態様の一例を示す側面模式図である。
【図１２】着脱長尺部材の下に設置するスペーサの態様の一例を示す斜視模式図であり、図１２（ａ）、図１２（ｂ）はそれぞれ異なる態様である。
【図１３】図９に示す指圧効果用用具とは異なる態様の本発明の指圧効果用用具の一例を示す断面模式図である。
【図１４】枕として用いられる本発明の指圧効果用用具の別の態様の構成を示す側面模式図である。
【図１５】枕として用いられる図１４とは異なる態様の本発明の指圧効果用用具の構成を示す断面模式図である。
【図１６】図１５に示す指圧効果用用具を使用する状態を示す側面模式図である。
【図１７】枕として用いられる図１５とは異なる態様の本発明の指圧効果用用具の構成を示す断面模式図である。
【図１８】枕として用いられる図１７とは異なる態様の本発明の指圧効果用用具の構成を示す側面模式図である。
【図１９】枕として用いられる図１７とは異なる態様の本発明の指圧効果用用具の構成を示す断面模式図である。
【図２０】高さが変更可能な長尺部材の態様を説明する側面模式図である。
【図２１】間隔が変更可能な長尺部材の態様を説明する図であり、図２１（ａ）は側面模式図、図２１（ｂ）は正面要部模式図である。
【図２２】枕として用いられる図１７とは異なる他の態様の本発明の指圧効果用用具の構成を示す側面模式図である。
【図２３】枕として用いられる図２２とは異なる他の態様の本発明の指圧効果用用具の構成を示す側面模式図である。
【図２４】枕として用いられる他の態様の本発明の指圧効果用用具の構成を示す側面模式図である。
【図２５】図２４に示す指圧効果用用具に用いられる着脱長尺部材の構成の一例を示す斜視模式図である。
【図２６】枕として用いられる本発明の指圧効果用用具の図２４とは異なる態様の一例を示す側面模式図である。
【図２７】本発明の指圧効果用用具の他の態様の一例を示す側面模式図である。
【図２８】本発明の指圧効果用用具の図２７とは異なる態様の一例を示す側面模式図である。
【図２９】本発明の指圧効果用用具の図２８とは異なる態様の一例を示す側面模式図である。
【図３０】本発明の指圧効果用用具の図２９とは異なる態様の一例を示す側面模式図である。
【図３１】本発明の指圧効果用用具の図３３とは異なる態様の一例を示す側面模式図である。
【図３２】本発明の指圧効果用用具の図３１とは異なる態様の一例を示す側面模式図である。
【図３３】本発明の指圧効果用用具の図３０とは異なる態様の一例を示す側面模式図である。
【図３４】枕として使用される本発明の指圧効果用用具の図３９とは異なる態様の一例を示す断面模式図である。
【図３５】枕として使用される本発明の指圧効果用用具の図３４とは異なる態様の一例を示す断面模式図である。
【図３６】枕として使用される本発明の指圧効果用用具の図３５とは異なる態様の一例を示す断面模式図である。
【図３７】枕として使用される本発明の指圧効果用用具の別の態様の一例を示す断面模式図である。
【図３８】枕として使用される本発明の指圧効果用用具の図３７とは異なる態様の一例を示す断面模式図である。
【図３９】枕として使用される本発明の指圧効果用用具の図３８とは異なる態様の一例を示す断面模式図である。
【符号の説明】
【０１５１】
２、２ａ、２ｂ、２ｆ、２ｇ、２ｈ、２ｉ、２ｐｄ、２ｎｐ、２ｎｐ５、２ｒｄ、２ｔｄ、２ｗｄ、２ｔｄｄ、２ｔｄｆ、２ｔｄｇ、２ｈｄ：指圧効果用用具
８、８ｆ、８ｐ、８ｒ、８ｔ、８ｈ、８ｄｆ、８ｎｐ、８ｎｐ２、８ｎｐ３、８ｎｐ４、８ｎｐ５、８ｘｚ：基板
９ａ、９ｐＬ、９ｐｃ、９ｐｄ、９ｐＲ、９ｒＬ、９ｒｂ、９ｒａ、９ｒｄ、９ｒＲ、９ｔＬ、９ｔｂ、９ｔａ、９ｔｄ、９ｔＲ、９ｐｃ、９ｈＬ、９ｈｃ、９ｈＲ、１６ｔｄ、１６ｍｄ：弾性部材
１２、１２ｐｘ、１２ｐｂ、１２ａ、１２ｐｚ、１２ｐｙ、１２ｒｘ、１２ｒｂ、１２ｒａ、１２ｒｚ、１２ｒｙ、１２ｔｘ、１２ｔｂ、１２ｔａ、１２ｔｚ、１２ｔｙ、１２ｄｆ、１２ｈｘ、１２ｈｙ、１２ｘｚ、１２ｘｚ２１、１２ｘｚ２２、１２ｘｚ２３、１２ｓｘｚ、１２ｒｘｚ：長尺部材
【図１】
2008119493.tif 000003
【図２】
2008119493.tif 000004
【図３】
2008119493.tif 000005
【図４】
2008119493.tif 000006
【図５】
2008119493.tif 000007
【図６】
2008119493.tif 000008
【図７】
2008119493.tif 000009
【図８】
2008119493.tif 000010
【図９】
2008119493.tif 000011
【図１０】
2008119493.tif 000012
【図１１】
2008119493.tif 000013
【図１２】
2008119493.tif 000014
【図１３】
2008119493.tif 000015
【図１４】
2008119493.tif 000016
【図１５】
2008119493.tif 000017
【図１６】
2008119493.tif 000018
【図１７】
2008119493.tif 000019
【図１８】
2008119493.tif 000020
【図１９】
2008119493.tif 000021
【図２０】
2008119493.tif 000022
【図２１】
2008119493.tif 000023
【図２２】
2008119493.tif 000024
【図２３】
2008119493.tif 000025
【図２４】
2008119493.tif 000026
【図２５】
2008119493.tif 000027
【図２６】
2008119493.tif 000028
【図２７】
2008119493.tif 000029
【図２８】
2008119493.tif 000030
【図２９】
2008119493.tif 000031
【図３０】
2008119493.tif 000032
【図３１】
2008119493.tif 000033
【図３２】
2008119493.tif 000034
【図３３】
2008119493.tif 000035
【図３４】
2008119493.tif 000036
【図３５】
2008119493.tif 000037
【図３６】
2008119493.tif 000038
【図３７】
2008119493.tif 000039
【図３８】
2008119493.tif 000040
【図３９】
2008119493.tif 000041